(57)【要約】【課題】  現在のモードが動画モードか再生モードかを意識しなくても、ユーザが再生指示の時点で求めている可能性が高いモードが自動的に選択される画像記録再生機器を提供する。【解決手段】  画像入力部０１０１は、本機器が画像を取り込む入り口であり、動画を入力する。画像出力部０１０２は、本機器が画像を出力する出口であり、一般にその出力はユーザが視認できるよう表示装置に表示される。スイッチ０１０３は記録と再生を切り替える切り替えスイッチであり、スイッチ０１０４は、動画記録時にはＡ側に、静止画記録時にはＢ側に接続される。スイッチ０１０５は動画再生時にはＡ側に、静止画再生時にはＢ側に接続される。制御部０１０８は、スイッチ０１０３、スイッチ０１０４、スイッチ０１０５をユーザの操作に従って制御する。【選択図】  図１
2005198026.tif 000002
【特許請求の範囲】
【請求項１】
動画、静止画の記録と再生が可能であり、再生指示を受けて、動画を再生可能とする動画再生モード、または静止画を再生可能とする静止画再生モードへ移行する画像記録再生装置であって、
前記動画再生モードと前記静止画再生モードのどちらへ移行するかを制御する制御手段を備え、
前記制御手段は、前記再生指示前の最後の記録動作が動画の記録であった場合には前記動画再生モードへ移行し、前記再生指示前の最後の記録動作が静止画の記録であった場合には前記静止画再生モードへ移行することを特徴とする画像記録再生装置。
【請求項２】
動画、静止画の記録と再生が可能であり、再生指示を受けて、動画を再生可能とする動画再生モード、または静止画を再生可能とする静止画再生モードへ移行する画像記録再生装置であって、
前記動画再生モードと前記静止画再生モードのどちらへ移行するかを制御する制御手段を備え、
前記制御手段は、前記再生指示前の最後の再生以降に記録動作が行われなかった場合には、前記最後の再生が動画の再生であれば前記動画再生モードへ移行し、前記再生指示前の最後の再生が静止画の再生であれば前記静止画再生モードへ移行することを特徴とする画像記録再生装置。
【請求項３】
前記動画再生モードもしくは前記静止画再生モードのいずれかを標準の再生モードとして持ち、前記制御手段は、前記再生指示前の最後の記録動作から所定の閾値以上の時間経過後に再生指示を受けた場合には、前記標準の再生モードへ移行することを特徴とする請求項１または請求項２に記載の画像記録再生装置。
【請求項４】
動画の記録開始を指示する動画記録指示手段と、静止画の記録開始を指示する静止画記録指示手段と、動画または静止画を再生可能とする再生モードへの移行を指示する再生指示手段を備えたことを特徴とする請求項１から請求項３のいずれか１項に記載の画像記録再生装置。
【請求項５】
動画、静止画の記録と再生が可能であり、再生指示を受けて動画を再生可能とする動画再生モード、または静止画を再生可能とする静止画再生モードへ移行する画像記録再生方法であって、
再生指示を受けた際に、前記再生指示前の最後の記録動作が動画の記録であった場合には、前記動画再生モードへ移行するステップと、
再生指示を受けた際に、前記再生指示前の最後の記録動作が静止画の記録であった場合には、前記静止画再生モードへ移行するステップと、
を有することを特徴とする画像記録再生方法。
【請求項６】
動画、静止画の記録と再生が可能であり、再生指示を受けて動画を再生可能とする動画再生モード、または静止画を再生可能とする静止画再生モードへ移行する画像記録再生方法であって、
再生指示を受けた際に、前記再生指示前の最後の再生以降に記録動作が行われなかった場合には、最後の再生が動画の再生であれば動画再生モードへ移行するステップと、
前記再生指示前の最後の再生が静止画の再生であれば静止画再生モードへ移行するステップと、
を有することを特徴とする画像記録再生方法。
【請求項７】
前記動画再生モードもしくは前記静止画再生モードのいずれかを標準の再生モードとして持ち、
前記再生指示前の最後の記録動作から所定の閾値以上の時間経過後に再生指示を受けた場合には、前記標準の再生モードへ移行するステップと、
を有することを特徴とする請求項５または請求項６に記載の画像記録再生方法。
【発明の詳細な説明】
【技術分野】
【０００１】
本発明は、動画及び静止画を記録・再生可能な画像記録再生装置に関するものである。
【背景技術】
【０００２】
動画と静止画の双方を記録・再生可能な機器としては、静止画をメモリカードに記録可能なビデオカムコーダ、ビデオテープレコーダ、ビデオディスクレコーダなどが存在している。
【０００３】
図８は、このような機器で動画・静止画の切り替え及び記録・再生の切り替えを行う機構の代表的な構成を示すブロック図である。また、図９は、図８にその構成を示した機器の操作に使用するコントローラの概略を表した平面図である。以下、この２つの図面を用いて従来の技術について説明する（特許文献１参照）。
【０００４】
画像入力部０１０１は本機器が画像を取り込む入り口であり、動画を入力することができる。画像出力部０１０２は本機器が画像を出力する出口である。スイッチ０１０３は記録と再生を切り替える切り替えスイッチで、記録時にはＡ側に、再生時にはＢ側に接続される。スイッチ０１０４は、記録時の動画モードと静止画モードを切り替えるためのもので、動画記録モード時にはＡ側に、静止画記録モード時にはＢ側に接続される。スイッチ０１０５は再生時の動画モードと静止画モードを切り替えるためのもので、動画再生モード時にはＡ側に、静止画再生モード時にはＢ側に接続される。
【０００５】
このスイッチ０１０４とスイッチ０１０５は連動しており、片方がＡ側に接続されているときはもう片方もＡ側に、片方がＢ側に接続されているときはもう片方もＢ側に接続される構成となっている。動画記録再生部０１０６は入力画像を動画データとして記録したり、記録された動画データを再生して出力したりする。静止画記録再生部０１０７は入力画像を静止画データとして記録したり、記録された静止画データを再生して出力したりする。
【０００６】
図９に示したコントローラには記録ボタン１００１、再生ボタン１００２、モード切り替えスイッチ１００３が搭載されている。記録ボタン１００１および再生ボタン１００２はスイッチ０１０３と連動しており、記録ボタン１００１が押されればスイッチ０１０３はＡ側に接続され、再生ボタン１００２が押されればスイッチ０１０３はＢ側に接続される。また、モード切り替えスイッチ１００３はスイッチ０１０４及びスイッチ０１０５と連動しており、モード切り替えスイッチ１００３が動画側になっている間はスイッチ０１０４及びスイッチ０１０５はＡ側に接続され、静止画側になっている間はスイッチ０１０４及びスイッチ０１０５はＢ側に接続される。
【０００７】
モード切り替えスイッチ１００３が動画側に接続されている状態で記録ボタン１００１が押された場合、スイッチ０１０３はＡ側に、スイッチ０１０４及びスイッチ０１０５もＡ側に接続された状態となる。これにより、画像入力部０１０１から得られる入力画像は、スイッチ０１０３を通して画像出力部０１０２に出力されると同時に、動画記録再生部０１０６にも送られ、動画データとして記録される。
【０００８】
モード切り替えスイッチ１００３が静止画側に接続されている状態で記録ボタン１００１が押された場合、スイッチ０１０３はＡ側に、スイッチ０１０４及びスイッチ０１０５はＢ側に接続された状態となる。これにより、画像入力部０１０１から得られる入力画像がスイッチ０１０３を通して画像出力部０１０２に出力されると同時に、静止画記録再生部０１０７にも送られ、静止画データとして記録される。
【０００９】
モード切り替えスイッチ１００３が動画側に接続されている状態で再生ボタン１００２が押された場合、スイッチ０１０３はＢ側に、スイッチ０１０４及びスイッチ０１０５はＡ側に接続された状態となる。これにより、動画記録再生部０１０６から出力される再生画像は、スイッチ０１０５を通して画像出力部０１０２に出力される。
【００１０】
モード切り替えスイッチ１００３が静止画側に接続されている状態で再生ボタン１００２が押された場合、スイッチ０１０３はＢ側に、スイッチ０１０４及びスイッチ０１０５もＢ側に接続された状態となる。これにより、静止画記録再生部０１０７から出力される再生画像がスイッチ０１０５を通して画像出力部０１０２に出力される。
【特許文献１】特開平０３−２９７２８１号公報
【発明の開示】
【発明が解決しようとする課題】
【００１１】
このような画像記録再生装置においては、モード切り替えスイッチ１００３の操作がユーザに任せられているため、再生モードに移行する目的で再生ボタン１００２を操作するユーザは、常に現在のモード切り替えスイッチ１００３の状態が動画モードか静止画モードかを認識しながら操作しなければならない。また、機器によっては汎用のメニュー操作用ボタンを装備し、画面に表示されるメニューをこのメニュー操作ボタンで選択することによって動画モードと静止画モードを切り替える構成とする場合もある。これはモード切り替えスイッチ１００３を省略できるため部品数を削減できる長所があるが、一方でユーザが現在のモードを視認する方法がなくなるため、画面にどちらのモードであるかを表示するなどの別の手段が必要となり、ユーザにとってもわかりづらいものとなる。
【００１２】
本発明はこのような問題を解決し、ユーザが動画モード・静止画モードを意識しなくても必要なモードで動作することが可能な画像記録再生機器の提供を目的とする。
【課題を解決するための手段】
【００１３】
本発明にかかる画像記録再生装置は、上記の問題を解決するために、動画、静止画の記録と再生が可能であり、再生指示を受けて、動画を再生可能とする動画再生モード、または静止画を再生可能とする静止画再生モードへ移行する画像記録再生装置であって、前記動画再生モードと前記静止画再生モードのどちらへ移行するかを制御する制御手段を備え、前記制御手段は、前記再生指示前の最後の記録動作が動画の記録であった場合には前記動画再生モードへ移行し、前記再生指示前の最後の記録動作が静止画の記録であった場合には前記静止画再生モードへ移行することを特徴とする。
【００１４】
また、本発明にかかる画像記録再生装置は、上記の問題を解決するために、再生指示を受けて、動画を再生可能とする動画再生モード、または静止画を再生可能とする静止画再生モードへ移行する画像記録再生装置であって、前記動画再生モードと前記静止画再生モードのどちらへ移行するかを制御する制御手段を備え、前記制御手段は、前記再生指示前の最後の再生以降に記録動作が行われなかった場合には、前記最後の再生が動画の再生であれば前記動画再生モードへ移行し、前記再生指示前の最後の再生が静止画の再生であれば前記静止画再生モードへ移行することを特徴とする。
【００１５】
また、本発明にかかる画像記録再生装置は、上記の問題を解決するために、前記動画再生モードもしくは前記静止画再生モードのいずれかを標準の再生モードとして持ち、前記制御手段は、前記再生指示前の最後の記録動作から所定の閾値以上の時間経過後に再生指示を受けた場合には、前記標準の再生モードへ移行することを特徴とする。
【００１６】
また、本発明にかかる画像記録再生装置は、上記の問題を解決するために、動画の記録開始を指示する動画記録指示手段と、静止画の記録開始を指示する静止画記録指示手段と、動画または静止画を再生可能とする再生モードへの移行を指示する再生指示手段とを備えたことを特徴とする。
【００１７】
本発明にかかる画像記録再生方法は、上記の問題を解決するために、動画、静止画の記録と再生が可能であり、再生指示を受けて動画を再生可能とする動画再生モード、または静止画を再生可能とする静止画再生モードへ移行する画像記録再生方法であって、再生指示を受けた際に、前記再生指示前の最後の記録動作が動画の記録であった場合には、前記動画再生モードへ移行するステップと、再生指示を受けた際に、前記再生指示前の最後の記録動作が静止画の記録であった場合には、前記静止画再生モードへ移行するステップと、を有することを特徴とする。
【００１８】
また、本発明にかかる画像記録再生方法は、上記の問題を解決するために、動画、静止画の記録と再生が可能であり、再生指示を受けて動画を再生可能とする動画再生モード、または静止画を再生可能とする静止画再生モードへ移行する画像記録再生方法であって、再生指示を受けた際に、前記再生指示前の最後の再生以降に記録動作が行われなかった場合には、最後の再生が動画の再生であれば動画再生モードへ移行するステップと、前記再生指示前の最後の再生が静止画の再生であれば静止画再生モードへ移行するステップと、を有することを特徴とする。
【００１９】
また、本発明にかかる画像記録再生方法は、上記の問題を解決するために、前記動画再生モードもしくは前記静止画再生モードのいずれかを標準の再生モードとして持ち、前記再生指示前の最後の記録動作から所定の閾値以上の時間経過後に再生指示を受けた場合には、前記標準の再生モードへ移行するステップと、を有することを特徴とする。
【発明の効果】
【００２０】
本発明によれば、現在のモードが動画モードか静止画モードかを意識しなくても、ユーザが再生指示の時点で求めている可能性が高いモードが自動的に選択されるとともに、余計なボタン・スイッチを削減したシンプルな構成が実現できる。
【発明を実施するための最良の形態】
【００２１】
以下、本発明の実施の形態について、図面を参照しながら説明する。
〔第１の実施形態〕
図１は、本発明における動画像記録再生装置の第１の実施形態を示すブロック図である。
【００２２】
画像入力部０１０１は本機器が画像を取り込む入り口であり、動画を入力することができる。動画としては、テレビ放送の画像、ＶＴＲなどのビデオ再生機器の出力画像、カメラで撮影された画像などが使用可能である。画像出力部０１０２は本機器が画像を出力する出口であり、一般にその出力はユーザが視認できるよう表示装置に表示されるが、表示装置自体は本発明に必須ではない。スイッチ０１０３は記録と再生を切り替える切り替えスイッチである。スイッチ０１０４は、記録時の動画記録モードと静止画記録モードを切り替えるためのもので、動画記録時にはＡ側に、静止画記録時にはＢ側に接続される。スイッチ０１０５は再生時の動画再生モードと静止画再生モードを切り替えるためのもので、動画再生時にはＡ側に、静止画再生時にはＢ側に接続される。制御部０１０８は、スイッチ０１０３、スイッチ０１０４、スイッチ０１０５をユーザの操作に従って制御する。動画記録再生部０１０６は入力画像を動画データとして記録したり、記録された動画データを再生して出力したりする。静止画記録再生部０１０７は入力画像を静止画データとして記録したり、記録された静止画データを再生して出力したりする。なお、本実施形態では動画の記録・再生を動画記録再生部という共通部分で実現し、静止画の記録・再生を静止画記録再生部という共通部分で実現しているが、これらがそれぞれ別々に分かれている構成も可能であり、この場合にはスイッチ０１０４の端子Ａに動画の記録を行う動画記録部が、端子Ｂに静止画の記録を行う静止画記録部が、スイッチ０１０５の端子Ａに動画の再生を行う動画再生部が、端子Ｂに静止画の再生を行う静止画再生部が接続される。逆に、動画の記録・再生、静止画の記録・再生が全て１つの共通部分で実現される構成も同様に可能であり、この場合は動画の記録・再生及び静止画の記録再生を行う動画静止画記録再生部がスイッチ０１０４の端子Ａ及び端子Ｂ、スイッチ０１０５の端子Ａ及び端子Ｂの全てに接続される。
【００２３】
図２は、本発明における動画像記録再生装置の第１の実施形態で、ユーザが操作するコントローラの概略を示した平面図である。
【００２４】
コントローラには動画記録ボタン０２０１、静止画記録ボタン０２０２、再生ボタン０２０３、が搭載されている。
【００２５】
まず、記録も再生も行われていない通常モードの動作を説明する。通常モードは、スイッチ０１０３が端子Ａ側に接続されており、これにより画像出力部０１０２には画像入力部０１０１から得られる入力画像が出力される。このモードは、例えば入力画像がテレビ放送であった場合には、テレビ放送がそのまま出力され表示装置に表示される状態を表している。一方で、画像出力部０１０２に入力されている入力画像と同様の画像がスイッチ０１０４にも入力されている。この際、スイッチ０１０４は端子Ａ側に接続されていても、端子Ｂ側に接続されていても、あるいはどちらにも接続されない状態であってもかまわない。
【００２６】
図６は、制御部０１０８の構成を示すブロック図である。記録動作記憶部０６０２は最後の記録動作を記憶し、判断部０６０１は記憶動作記憶部０６０２の記憶内容と動画記録ボタン０２０１、静止画記録ボタン０２０２、再生ボタン０２０３の操作内容とを元に、スイッチ０１０３、スイッチ０１０４、スイッチ０１０５への指示内容と動画記録再生部０１０６、静止画記録再生部０１０７への指示内容を判断する役目を持つ。なお、以後では特に必要のない限りは以上の構成をまとめて制御部０１０８と呼ぶことにする。
【００２７】
ユーザが動画記録ボタン０２０１を押すと、その情報は制御部０１０８に送られ、制御部０１０８はスイッチ０１０４を端子Ａ側に接続するよう操作する。これによりスイッチ０１０４経由で動画記録再生部０１０６に対して入力画像が供給される。また、制御部０１０８は動画記録再生部０１０６に対して動画記録開始を指示し、動画の記録が開始される。このスイッチ０１０４が端子Ａ側に接続され、動画記録中となった状態を指して動画記録モードと呼ぶ。この際、制御部０１０８は最後の記録動作が動画記録であった旨を記憶しておく。これには、図６で既に示したとおり記録動作記憶部０６０２を設けてそこに記憶しても良いし、動画記録完了後もスイッチ０１０４を動かさないことでスイッチ０１０４に最後の記録動作を記憶させることも、あるいはその両方を同時に使用することもできる。動画記録の停止については、別に停止ボタンを設けて、ユーザに明示的に停止させても良いし、ユーザの指定に従って所定の時間の記録動作経過後に自動的に停止させても良い。記録動作の停止後は再び通常モードに戻る。
【００２８】
ユーザが静止画記録ボタン０２０２を押すと、その情報は制御部０１０８に送られ、制御部０１０８はスイッチ０１０４を端子Ｂ側に接続するよう操作する。これによりスイッチ０１０４経由で静止画記録再生部０１０７に対して入力画像が供給される。また、制御部０１０８は静止画記録再生部０１０７に対して静止画記録開始を指示し、静止画が記録される。このスイッチ０１０４が端子Ｂ側に接続され、静止画記録中となった状態を指して静止画記録モードと呼ぶ。この際、制御部０１０８は最後の記録動作が静止画記録であった旨を、動画の場合と同様な手段で記憶しておく。静止画の記録停止後は再び通常モードに戻る。
【００２９】
以上の構成により、ユーザは動画を記録したいときには動画記録ボタン０２０１を、静止画を記録したいときには静止画記録ボタン０２０２を押すことで、現在のスイッチ０１０４の位置がどちらかといった点に煩わされずに即座に所望の記録モードで記録することができる。しかし、一方でスイッチ０１０５をユーザが操作する手段がなくなったため、このままでは再生用にも動画再生ボタンと静止画再生ボタンが必要となる。そこで、以下に単一の再生ボタン０２０３のみで所望の機能を実現する方法を説明する。
【００３０】
続いて、再生時の動作を説明する。スイッチ０１０５は、スイッチ０１０４と連動しており、スイッチ０１０４が端子Ａ側に接続されている場合は端子Ａ側に、スイッチ０１０４が端子Ｂ側に接続されている間は端子Ｂ側に接続される。なお、本実施形態ではスイッチ０１０４とスイッチ０１０５を連動としているが、制御部０１０８が記憶された最後の記録動作内容を読み出し、最後の記録動作が動画記録であればスイッチ０１０５を端子Ａ側に接続し、最後の記録動作が静止画記録であればスイッチ０１０５を端子Ｂ側に操作することも可能である。この方式では再生側の動作と記録側の動作を個別に変更できる長所がある。なお、この操作が行われるタイミングは、動画記録ボタン０２０１または静止画記録ボタン０２０２が操作されたときでも、以下に述べる再生ボタン０２０３が操作されたときでもかまわない。
【００３１】
ユーザが再生ボタン０２０３を操作すると、その情報は制御部０１０８に送られ、制御部０１０８はスイッチ０１０３を端子Ｂ側に接続するよう操作する。また、制御部０１０８は記憶された最後の記録動作が動画記録であれば動画記録再生部０１０６に対して動画再生開始コマンドを発行し、最後の記録動作が静止画記録であれば静止画記録再生部０１０７に対して静止画再生コマンドを発行する。スイッチ０１０５は最後の記録動作に応じて端子Ａ側の動画記録再生部０１０６か、端子Ｂ側の静止画記録再生部０１０７に接続されているので、動画記録再生部０１０６または静止画記録再生部０１０７から出力される再生画像は画像出力部０１０２に出力され、再生画像が表示装置に表示される。なお、この再生ボタン０２０３による再生指示を受けてユーザに表示される内容は、再生可能な動画データまたは静止画データのリストでも良いし、最後に記録した動画データまたは静止画データの再生をすぐに始める形でもかまわない。このように、スイッチ０１０５が端子Ａ側に接続され、再生可能な動画のリストが表示されたり特定の動画の再生されたりした状態を動画再生モード、スイッチ０１０５が端子Ｂ側に接続され、再生可能な静止画のリストが表示されたり特定の静止画か表示されたりした状態を静止画再生モードと呼ぶ。また、ここではこれら再生モードへ移行するための再生指示の手段としてユーザによる再生ボタン０２０３の操作を使用しているが、他の機器からの再生指示をもちいてもかまわない。
【００３２】
以上に説明した、再生ボタン０２０３が操作された場合の制御部０１０８の動作を表す流れ図を図３に示す。再生ボタン０２０３が押され、再生指示が発せられた場合、まずステップＳ０３０１で最後の記録動作が動画記録であったか、静止画記録であったかを判断する。動画記録であった場合にはステップＳ０３０２で動画記録再生部０１０６に対して動画再生開始コマンドを発行し、静止画記録であった場合にはステップＳ０３０３で静止画記録再生部０１０７に対して静止画再生開始コマンドを発行する。動画再生開始コマンドが発行された場合には、再生可能な動画のリストが表示されたり、最後に記録された動画の再生が開始されたりする。静止画再生開始コマンドが発行された場合には、再生可能な静止画のリストが表示されたり、最後に記録された静止画が再生表示されたりする。
最後に行った記録動作以外のモードで再生を行いたい場合、例えば最後に静止画を記録したが動画再生モードで再生したい場合もありうる。この場合、最後に記録したのが静止画であるので、再生ボタン０２０３を使って再生指示を発しただけでは静止画再生モードになってしまう。そこで、静止画再生モードになった状態から再度再生ボタン０２０３を押すことで、明示的に動画再生モードに移行できるようにする。
【００３３】
一般に、ユーザが再生ボタン０２０３を操作した場合、最後に行った記録動作の結果を再生したいという可能性が高い。本実施形態に従えば、ユーザが現在の動作モードを認識しなくても必要な機能を呼び出せる再生モードを、少ないボタン数で実現することが可能となる。
【００３４】
〔第２の実施形態〕
次に、本発明における動画像記録再生装置の第２の実施形態を説明する。
【００３５】
第２の実施形態の構成および使用されるコントローラは第１の実施形態における図１および図２と同一であるため、ここでは図面の説明を省略する。
【００３６】
本実施形態では、再生モードから通常モードに移行する際、直前の再生モードが動画再生モードであれば記録動作記憶部０６０１に動画記録と記憶し、直前の再生モードが静止画再生モードであれば記録動作記憶部０６０１に静止画記録と記憶する。
【００３７】
以上の処理を、流れ図４を用いて説明する。図４は再生モードから通常モードに移行する際の制御部０１０８の動作を示したものである。ステップＳ０４０１で直前の再生モードが動画再生モードか静止画再生モードかを判断し、動画であればステップＳ０４０２で記録動作記憶部０６０１に動画記録と記憶し、静止画であればステップＳ０４０３で記録動作記憶部０６０１に静止画記録と記憶する。
【００３８】
以上の処理の結果、再生モードから通常モードに移行した後、再度再生モードに移行するまでの間に、記録動作が一度でも実施されていれば第１の実施形態で説明したように、記録動作記憶部０６０１には実施された記録動作内容が記録されるが、一度も実施されていなければ最後の再生モードに対応した値が記録されたことになる。
【００３９】
一般に、記録動作を行っていないのに再生ボタン０２０３が押されたのであれば、最後に使用したのと同じ再生モードが所望されている可能性が高い。本実施形態ではこのような場合に、ユーザがすばやく所望の再生モードに移行することができる。
【００４０】
〔第３の実施形態〕
次に、本発明における動画像記録再生装置の第３の実施形態を説明する。
【００４１】
第３の実施形態の構成および使用されるコントローラは、第１の実施形態における図１および図２と同一であるため、ここでは図面の説明を省略する。
【００４２】
図７は本実施形態における制御部０１０８の構成を示すブロック図である。ここでは、図６で既に示してある判断部０６０１、記録動作記憶部０６０２に加えて経過時間測定部０７０１が具備されている。経過時間測定部０７０１は、動画または静止画の記録動作が終了した時点で０にリセットされ、その後の経過時間を測定する機能を持つ。
【００４３】
本実施形態では、これに加えて標準の再生モードを予め持っている。この標準の再生モードは、動画再生モードでも静止画再生モードでもかまわない。また、機器固有の不変のものとしても、ユーザの指示に応じて切り替えられるものとしてもかまわない。なお、本実施形態では機器固有の不変の標準の再生モードとして動画再生モードが指定されているものとして以下の説明をすすめる。
【００４４】
続いて、本実施形態で再生ボタン０２０３が押された場合の制御部０１０８の動作を、流れ図５およびブロック図７を用いて説明する。再生ボタン０２０３が押された場合、まずステップＳ０５０１で経過時間測定部０７０１が測定した記録動作完了後の経過時間と、予め決められた閾値Ｔとを比較する。Ｔは機器固有の不変の値でも、ユーザの指示で変更可能な値でもかまわない。経過時間がＴより大きかった場合、最後の記録動作内容や記録動作有無にかかわらず、ステップＳ０５０２で標準の再生モードである動画再生モードに移行する。
【００４５】
一方、経過時間が閾値Ｔより小さかった場合の動作は、流れ図４に示した第２の実施形態の場合と同様であるため省略する。ここで、ステップＳ０５０１はステップＳ０４０１と、ステップＳ０５０２はステップＳ０４０２と、ステップＳ０５０３はステップＳ０４０３と同様な処理内容を表す。
【００４６】
一般に、ユーザが記録動作を行った後、短い時間しかたたないうちに再生ボタン０２０３を操作したのであれば、これは最後に行った記録動作の結果を再生したい可能性が高い。一方、例えばビデオレコーダのように、動画の記録が主目的で付随的に静止画の記録が可能となっている機器であったり、デジタルスチルカメラのように静止画の記録が主目的で付随的に動画の記録が可能となっている機器であったりした場合には、最後に行った記録動作から一定時間経過した後に再生ボタン０２０３が操作されたのであれば、これはその機器の主たる記録方法で記録された内容を再生したい可能性が高い。このため、本実施形態によれば、ユーザの意図に沿った処理を自動的に実現することが可能となる。
【図面の簡単な説明】
【００４７】
【図１】本発明の第１の実施形態の画像記録再生装置の構成を示すブロック図である。
【図２】本発明の第１の実施形態の画像記録再生装置で使用されるコントローラの平面図である。
【図３】本発明の第１の実施形態における制御部の動作を示す流れ図である。
【図４】本発明の第２の実施形態における制御部の動作を示す流れ図である。
【図５】本発明の第３の実施形態における制御部の動作を示す流れ図である。
【図６】本発明の第１の実施形態における制御部の構成を示すブロック図である。
【図７】本発明の第３の実施形態における制御部の構成を示すブロック図である。
【図８】従来の技術の画像記録再生装置の構成を示すブロック図である。
【図９】従来の技術で使用されるコントローラの平面図である。
【符号の説明】
【００４８】
０１０１  画像入力部
０１０２  画像出力部
０１０３  スイッチ
０１０４  スイッチ
０１０５  スイッチ
０１０６  動画記録再生部
０１０７  静止画記録再生部
０１０８  制御部
０２０１  動画記録ボタン
０２０２  静止画記録ボタン
０２０３  再生ボタン
０６０１  判断部
０６０２  記録動作記憶部
０７０１  経過時間測定部
１００１  記録ボタン
１００２  再生ボタン
１００３  モード切り替えスイッチ
【図１】
2005198026.tif 000003
【図２】
2005198026.tif 000004
【図３】
2005198026.tif 000005
【図４】
2005198026.tif 000006
【図５】
2005198026.tif 000007
【図６】
2005198026.tif 000008
【図７】
2005198026.tif 000009
【図８】
2005198026.tif 000010
【図９】
2005198026.tif 000011